(57)【要約】      （修正有）【課題】小便器の内壁等と接触して破損することを抑制できる尿石付着防止剤ケースを提供する。【解決手段】天面部１１と、前記天面部の下面から下方に延びる筒状の袴部と、前記天面部から上方に向かって隆起して、小便器から取り外す際に取外部材がひっかけられる貫通孔部１４が形成された突起部１３と、を備える貫通孔部付目皿１０に取り付けられる、尿石付着防止剤１を収納する尿石付着防止剤ケースであって、前記尿石付着防止剤を収納する収納部２と、前記貫通孔部１４に係合することによって前記収納部を前記貫通孔部付目皿に固定する固定部と、を備える。【選択図】図３
0003222154.tif 000002
【実用新案登録請求の範囲】
【請求項１】
天面部と、前記天面部の下面から下方に延びる筒状の袴部と、前記天面部から上方に向かって隆起して、小便器から取り外す際に取外部材がひっかけられる貫通孔部が形成された突起部と、を備える貫通孔部付目皿に取り付けられる、尿石付着防止剤を収納する尿石付着防止剤ケースであって、
前記尿石付着防止剤を収納する収納部と、前記貫通孔部に係合することによって前記収納部を前記貫通孔部付目皿に固定する固定部と、を備えることを特徴とする尿石付着防止剤ケース。
【請求項２】
前記固定部は、前記収納部から突出する一対の腕部と、前記腕部の先端から、互いに近づく方向に突出する一対の把持部と、を含み、
尿石付着防止剤ケースが前記貫通孔部付目皿に取り付けられた取り付け状態において、一対の前記把持部のうち一方の前記把持部が、前記貫通孔部の一方の開口側から挿入され、一対の前記把持部のうち他方の前記把持部が、前記貫通孔部の他方の開口側から挿入されて、一対の前記把持部が前記貫通孔部に係合することを特徴とする請求項１に記載の尿石付着防止剤ケース。
【請求項３】
前記腕部は、前記取り付け状態と、前記貫通孔部に対する一対の前記把持部の係合が解除された取り外し状態と、の間で弾性変形可能であることを特徴とする請求項２に記載のホルダー。
【請求項４】
前記収納部は、前記尿石付着防止剤を載置する収納部本体と、前記収納部本体にかぶせられる収納蓋体と、を備え、
前記収納部本体または前記収納蓋体のうちいずれか一方は、他方と係合する係合部を備えることを特徴とする請求項１ないし３のいずれか１つに記載の尿石付着防止剤ケース。
【請求項５】
前記収納部の底面部の上面に、前記高さ方向に突出した突出部が形成されることを特徴とする請求項１ないし４のいずれか１つに記載の尿石付着防止剤ケース。
【請求項６】
前記収納部は、前記小便器から流れる洗浄水を、前記収納部の内外において通水させる通水開口部を備えることを特徴とする請求項１ないし５のいずれか１つに記載の尿石付着防止剤ケース。
【考案の詳細な説明】
【技術分野】
【０００１】
本考案は、小便器の目皿に取り付けられる尿石付着防止剤ケース、特に、小便器から取り外す際に取外部材がひっかけられる貫通孔部が形成された目皿に取り付けられる、尿石付着防止剤ケースに関する。
【背景技術】
【０００２】
小便器の排水管に尿石が付着することを防止するために、通水開口部を備えたケースに収納された尿石付着防止剤を、小便器の目皿上に載置する方法が広く知られている。この方法によれば、通水開口部を介してケースの内外を通水した洗浄水が、尿石付着防止剤をなめ、尿石付着防止剤が洗浄水に溶解する。この洗浄水が排水管を流れることにより、排水管に対する尿石の付着が防止される。
【０００３】
尿石付着防止剤を収納するケースとして、球状のケースが用いられている。特許文献１には、多数の小孔が設けられており、尿石付着防止剤を封入する球状のケースが開示されている。
【先行技術文献】
【特許文献】
【０００４】
【特許文献１】実開昭６１―１８２７４０号公報
【考案の概要】
【考案が解決しようとする課題】
【０００５】
ここで、小便器の目皿として、天面部と、天面部の下面から下方に延びる筒状の袴部と、天面部から上方に向かって隆起して、小便器から取り外す際にフック等の取外部材がひっかけられる貫通孔部が形成された突起部と、を備える目皿（以下、貫通孔部付目皿と称す）が広く用いられている。図１は、貫通孔部付目皿の概略側面図である。図１を参照して、貫通孔部付目皿１０は樹脂製であり、目皿後方に向かうにしたがって下方に傾斜した天面部１１と、天面部１１の下面から下方に延びる筒状の袴部１２とを備える。天面部１１には、上方に隆起した、略三角形状の突起部１３が形成されている。突起部１３には、突起部１３を貫通する貫通孔部１４が形成されている。貫通孔部付目皿１０を小便器底部から取り外す際には、貫通孔部１４にフック等の取外部材をひっかけて引き上げることにより、貫通孔部付目皿１０を容易に取り外すことができる。
【０００６】
上述の貫通孔部付目皿１０が小便器に設置された状態において、特許文献１に記載のケースを貫通孔部付目皿１０の上に載置した場合、特許文献１に記載のケースは、尿と接触することや洗浄水が流入することによって、天面部１１の上を転がる。そのため、特許文献１に記載のケースが、小便器の内壁等と接触して破損する場合があった。かかる場合には、その破損箇所から洗浄水が流入することによって尿石付着防止剤が過剰に溶け出し、尿石付着防止剤の製品寿命が短くなるおそれがある。
【０００７】
本考案の目的は、尿石付着防止剤ケースが小便器の内壁等と接触して破損することを抑制することである。
【課題を解決するための手段】
【０００８】
上記課題を解決するために、本考案に係る尿石付着防止剤ケースは、（１）天面部と、前記天面部の下面から下方に延びる筒状の袴部と、前記天面部から上方に向かって隆起して、小便器から取り外す際に取外部材がひっかけられる貫通孔部が形成された突起部と、を備える貫通孔部付目皿に取り付けられる、尿石付着防止剤を収納する尿石付着防止剤ケースであって、前記尿石付着防止剤を収納する収納部と、前記貫通孔部に係合することによって前記収納部を前記貫通孔部付目皿に固定する固定部と、を備えることを特徴とする尿石付着防止剤ケース。
【０００９】
（２）前記固定部は、前記収納部から突出する一対の腕部と、前記腕部の先端から、互いに近づく方向に突出する一対の把持部と、を含み、
尿石付着防止剤ケースが前記貫通孔部付目皿に取り付けられた取り付け状態において、一対の前記把持部のうち一方の前記把持部が、前記貫通孔部の一方の開口側から挿入され、一対の前記把持部のうち他方の前記把持部が、前記貫通孔部の他方の開口側から挿入されて、一対の前記把持部が前記貫通孔部に係合することを特徴とする（１）に記載の尿石付着防止剤ケース。
【００１０】
（３）前記腕部は、前記取り付け状態と、前記貫通孔部に対する一対の前記把持部の係合が解除された取り外し状態と、の間で弾性変形可能であることを特徴とする（２）に記載のホルダー。
【００１１】
（４）前記収納部は、前記尿石付着防止剤を載置する収納部本体と、前記収納部本体にかぶせられる収納蓋体と、を備え、前記収納部本体または前記収納蓋体のうちいずれか一方は、他方と係合する係合部を備えることを特徴とする（１）ないし（３）のいずれか１つに記載の尿石付着防止剤ケース。
【００１２】
（５）前記収納部の底面部の上面に、前記高さ方向に突出した突出部が形成されることを特徴とする（１）ないし（４）のいずれか１つに記載の尿石付着防止剤ケース。
【００１３】
（６）前記収納部は、前記小便器から流れる洗浄水を、前記収納部の内外において通水させる通水開口部を備えることを特徴とする（１）ないし（５）のいずれか１つに記載の尿石付着防止剤ケース。
【考案の効果】
【００１４】
本考案によれば、尿の勢いや洗浄水の流入によって尿石付着防止剤ケースが移動しないため、小便器の内壁等に接触して破損することが抑制され、尿石付着防止剤ケースに収納される尿石付着防止剤の製品寿命を維持することができる。
【図面の簡単な説明】
【００１５】
【図１】貫通孔部付目皿の概略側面図である。
【図２】尿石付着防止剤ケース１が図１に示す貫通孔部付目皿１０に取り付けられた状態における、床置式小便器の概略斜視図である。
【図３】破線Ａで囲まれた領域の拡大平面図である。
【図４】本実施形態における尿石付着防止剤ケース１の平面図である。
【図５】本実施形態における尿石付着防止剤ケース１の左側面図である。
【図６】本実施形態における尿石付着防止剤ケース１の正面図である。
【図７】本実施形態における収納部本体２１の平面図である。
【考案を実施するための形態】
【００１６】
（第１実施形態）
以下、図面を参照しながら、本実施形態における尿石付着防止剤ケースについて説明する。図２は、尿石付着防止剤ケース１が図１に示す貫通孔部付目皿１０に取り付けられた状態における、床置式小便器の概略斜視図である。図３は、破線Ａで囲まれた領域の拡大平面図である。Ｘ軸、Ｙ軸及びＺ軸は、互いに直交する３軸である。Ｘ軸は、床置式小便器１００の奥行方向を示す。Ｙ軸は、床置式小便器１００の幅方向を示す。Ｚ軸は、尿石付着防止剤ケース１の高さ方向を示す。Ｘ軸、Ｙ軸及びＺ軸の定義は、以降の図においても同様であるものとする。また、説明の便宜のため、図３において、貫通孔部１４及び一対の把持部３２の一部を透視して図示する。
図１ないし図３を参照して、床置式小便器１００の底部には、貫通孔部付目皿１０が設置される。貫通孔部付目皿１０は、天面部１１が小便器底部に設けられた排水管（不図示）の上端を覆い、袴部１２が排水管の周囲を覆うように配置される。貫通孔部付目皿１０には、尿石付着防止剤１ａが収納された尿石付着防止剤ケース１が取り付けられる。床置式小便器１００において、床置式小便器１００から流れる洗浄水は、尿石付着防止剤ケース１に収納された尿石付着防止剤１ａを溶解させる。尿石付着防止剤１ａが溶解した洗浄水が排水管に流れ込むことにより、排水管に尿石が付着することが防止される。
【００１７】
ここで、尿石付着防止剤ケース１は、樹脂製であり、尿石付着防止剤１ａを収納する収納部２と、収納部２を貫通孔部付目皿１０に固定する固定部３と、を備える。すなわち、尿石付着防止剤１ａが収納された収納部２が、固定部３を介して貫通孔部付目皿１０に固定される。これにより、尿の勢いや洗浄水の流入にかかわらず尿石付着防止剤ケース１を定位置に固定することができるため、尿石付着防止剤ケース１が床置式小便器１００の内壁等に接触して破損することが抑制される。なお、本実施形態における尿石付着防止剤ケース１は、樹脂製であるが、これに限られるものでなく、例えば、ステンレス等の錆びづらい金属を加工して形成されたものであってもよい。また、固定部３によって収納部２を貫通孔部付目皿１０に固定する方法については後述する。
【００１８】
図４は、本実施形態における尿石付着防止剤ケース１の平面図である。図５は、本実施形態における尿石付着防止剤ケース１の左側面図である。図６は、本実施形態における尿石付着防止剤ケース１の正面図である。図４ないし図６を参照して、尿石付着防止剤ケース１が備える収納部２及び固定部３について、さらに詳しく説明する。
【００１９】
（収納部２について）
収納部２は、尿石付着防止剤１ａが載置される収納部本体２１と、収納部本体２１にかぶせられる収納蓋体２２と、を備える。収納部本体２１に尿石付着防止剤１ａを載置し、収納部本体２１に収納蓋体２２をかぶせ、収納蓋体２２を収納部本体２１に固定する。この構成によれば、収納蓋体２２が収納部本体２１から外れることが抑制されるため、尿石付着防止剤１ａが収納部２から移動して離れることが抑制される。なお、収納蓋体２２を収納部本体２１に固定する方法については後述する。
【００２０】
収納蓋体２２は、円環状に形成された第１底面部２２１と、収納蓋体２２のＹ軸方向における中心を挟んで対称な位置に設けられ、Ｚ軸方向視において第１底面部２２１のＹ軸方向両端部を覆う位置に配置された、一対の扁平部２２２ａと、一対の扁平部２２２ａに挟まれて、尿石付着防止剤１ａの外周面に沿って略アーチ形状に形成された、複数のアーチ部２２２ｂと、を含む。一対の扁平部２２２ａの下面は、第１底面部２２１のＹ軸方向の端部にそれぞれ接続されている。扁平部２２２ａは、Ｙ軸方向視において、扁平部２２２ａと隣接するアーチ部２２２ｂの下縁を覆うように配置される。各アーチ部２２２ｂは、Ｚ軸方向視においてＸ軸方向に延び、第１底面部２２１の中央に形成された円形の空隙をまたいで、第１底面部２２１に接続されている。一対の扁平部２２２ａ及びアーチ部２２２ｂは、Ｙ軸方向において等間隔に整列している。扁平部２２２ａと扁平部２２２ａに隣接するアーチ部２２２ｂとの間、及び隣接する２つのアーチ部２２２ｂの間には、それぞれ第１通水開口部２２３が形成されている。第１通水開口部２２３を介して、洗浄水を、収納部２の内部（または外部）から収納部２の外部（または内部）へと通水させることができるため、尿石付着防止剤１ａが溶け出した洗浄水の薬剤濃度をより高めることができる。その結果、排水管に尿石をより付着しにくくすることができる。
【００２１】
図７は、本実施形態における収納部本体２１の平面図である。図４ないし図７を参照して、収納部本体２１は、円盤状に形成された第２底面部２１１（請求項５における「底面部」に相当）と、第２底面部２１１より上方に位置し、第２底面部２１１の径より大径に形成された円筒状の側面部２１２と、第２底面部２１１の外縁と側面部２１２の下端とをつなぐテーパー部２１３と、を備える。テーパー部２１３は、Ｚ軸方向上方に向かうにしたがって連続的に径が大きくなるテーパー形状を有する。収納部本体２１はさらに、側面部２１２の内壁からＺ軸方向上方に延びて、その上端が側面部２１２の内壁より径方向外側に突出した、一対の係合部２１４を備える。一対の係合部２１４はそれぞれ、側面部２１２の内壁のＹ軸方向両端部に形成されている。係合部２１４が収納蓋体２２に係合することにより、収納蓋体２２が収納部本体２１に固定される（図４、図６参照）。本実施形態においては、一対の扁平部２２２ａの内壁に係合孔部（不図示）が形成されており、係合部２１４が係合孔部に係合することにより、収納蓋体２２が収納部本体２１に固定される。なお、係合孔部が周方向に延びており、係合部２１４が係合孔部に沿ってスライドする（すなわち、収納部本体２１に対して収納蓋体２２が所定範囲だけ回転可能な）構成であってよい。
【００２２】
収納部本体２１のテーパー部２１３には、テーパー部２１３の厚み方向に貫通した、複数の第２通水開口部２１５及び複数の第３通水開口部２１６が形成されている。各第２通水開口部２１５の上端は、テーパー部２１３の上端より下方（すなわち、テーパー部２１３）に位置する。また、各第３通水開口部２１６の上端は、テーパー部２１３の上端より上方（すなわち、側面部２１２）まで延びている。第２通水開口部２１５及び第３通水開口部２１６を介して、洗浄水を、収納部２の内部（または外部）から収納部２の外部（または内部）へと通水させることができるため、尿石付着防止剤１ａが溶け出した洗浄水の薬剤濃度をより高めることができる。その結果、排水管に尿石をより付着しにくくすることができる。
【００２３】
第２底面部２１１には、Ｚ軸方向上方に突出した複数の突出部２１７が形成されている（図７参照）。この構成によれば、尿石付着防止剤１ａを収納部本体２１に載置すると、尿石付着防止剤１ａが突出部２１７の先端に支持される。これにより、突出部２１７の間を洗浄水が通水するため、洗浄水を尿石付着防止剤１ａの下面に接触させることができる。すなわち、突出部２１７を設けることにより、洗浄水と尿石付着防止剤１ａとの接触面積をより増加させることができるため、尿石付着防止剤１ａが溶け出した洗浄水の薬剤濃度をより高めることができる。その結果、排水管に尿石をより付着しにくくすることができる。
【００２４】
（固定部３について）
固定部３は、収納部本体２１の側面部２１２からＸ軸方向に延びる一対の腕部３１と、腕部３１の先端から突出した一対の把持部３２と、を含む。一対の把持部３２は、互いに近づく方向（Ｙ軸方向）に突出している。一対の腕部３１は、収納部本体２１のＹ軸方向における中心を挟んで対称な位置に設けられている。一対の把持部３２で貫通孔部付目皿１０の貫通孔部１４を挟むように配置し、一対の把持部３２のうち一方の把持部３２ａを貫通孔部１４の一方の開口側１４ａに挿入し、一対の把持部３２のうち他方の把持部３２ｂを貫通孔部１４の他方の開口側１４ｂに挿入する。これにより、把持部３２が貫通孔部１４に係合して、収納部２が貫通孔部付目皿１０に固定される（図３参照）。
【００２５】
ここで、上述の通り、一対の腕部３１は、収納部本体２１の側面部２１２からＸ軸方向に延びている。また、腕部３１の先端（把持部３２）は自由端となっている。すなわち、腕部３１は、腕部３１の基端が収納部本体２１によって支持された片持ち支持梁構造となっている。そのため、腕部３１は、Ｙ軸方向の外力に対して弾性変形可能な構成となっている。したがって、尿石付着防止剤ケース１を貫通孔部付目皿１０に取り付ける際、一対の腕部３１を、Ｙ軸方向において互いに離隔する方向に弾性変形させて、把持部３２を貫通孔部付目皿１０の貫通孔部１４に挿入することができる。また、貫通孔部付目皿１０に取り付けられた尿石付着防止剤ケース１を取り外す際、一対の腕部３１を、Ｙ軸方向において互いに離隔する方向に弾性変形させて、把持部３２を貫通孔部付目皿１０の貫通孔部１４から抜去することができる。すなわち、尿石付着防止剤ケース１を貫通孔部付目皿１０に取り付ける作業をより簡素化することができる。
【００２６】
（変形例１）
本実施形態における固定部３は、収納部本体２１からＸ軸方向に延びる一対の腕部３１と、一対の腕部３１の先端から突出した一対の把持部３２と、によって構成されているが、これに限るものではなく、一対の把持部３２が貫通孔部１４に係合する構成であればよい。例えば、一対の腕部３１がＸ軸方向以外の方向に突出した構成であってもよい。また、屈曲した鉤爪形状のフックを、収納部本体２１から突出して設けることにより、固定部３としてもよい。
【００２７】
（変形例２）
本実施形態では、収納部本体２１が係合部２１４を備えており、係合部２１４が収納蓋体２２に係合することによって、収納蓋体２２が収納部本体２１に固定される構成を有する。しかしながら、これに限られず、収納蓋体２２と収納部本体２１とが固定される構成であればよい。したがって、例えば、収納蓋体２２が係合部を備えており、収納蓋体２２の係合部が収納部本体２１に係合する構成であってもよい。また、収納部本体２１と収納蓋体２２とが接着剤等で固定される構成であってもよい。さらに、収納部本体２１と収納蓋体２２とが反極の磁石を備え、磁石の磁力（吸引力）によって収納部本体２１と収納蓋体２２とが固定される構成であってもよい。
【００２８】
（変形例３）
本実施形態では、第１通水開口部２２３が収納蓋体２２に形成されており、第２通水開口部２１５及び第３通水開口部２１６が収納部本体２１に形成されている。しかしながら、これに限られたものでなく、通水開口部は、収納部２の内外における通水を可能とする適宜の位置に設けられていればよい。したがって、例えば、通水開口部が、収納蓋体２２または収納部本体２１のうちいずれか一方にのみ形成された構成であってもよい。また、通水開口部の形状は、本実施形態における形状に限られず、例えば丸形や三角形等の適宜な形状であってもよい。
【００２９】
（変形例４）
本実施形態における尿石付着防止剤１ａは円筒形であるが、これに限られず、直方体など、適宜の形状に設定してもよい。この場合、収納部２を、尿石付着防止剤１ａの形状に対応した形状とすることが望ましい。
【符号の説明】
【００３０】
１：尿石付着防止剤ケース  １ａ：尿石付着防止剤  ２：収納部  ３：固定部  １０：貫通孔部付目皿  １１：天面部  １３：突起部  １４：貫通孔部  ２１：収納部本体  ２２：収納蓋体  ３１：腕部  ３２：把持部  １００：床置式小便器  ２１１：第２底面部  ２１４：係合部  ２１５：第２通水開口部  ２１６：第３通水開口部  ２１７：突出部  ２２３：第１通水開口部
【図１】
0003222154.tif 000003
【図２】
0003222154.tif 000004
【図３】
0003222154.tif 000005
【図４】
0003222154.tif 000006
【図５】
0003222154.tif 000007
【図６】
0003222154.tif 000008
【図７】
0003222154.tif 000009